(57)【要約】【課題】  植生孔内の植物に水分不足を原因として萎れや枯れ等が生じ得ることを防止できる擁壁構造物を提供する。【解決手段】  擁壁ブロック１に一体形成された保水性を有する多孔質の筒状体１ｄの内孔によって植生孔１ｃを構成することにより該植生孔１ｃの内周部分に保水性を持たせてあるので、雨水等を植生孔１ｃの内周部分に積極的に吸い込んで保水することができる。依って、雨量の少ない時期及び地域にあっても保水された水分を有効利用して植生孔１ｃ内の植物に萎れや枯れ等が生じ得ることを防止できる。【選択図】  図３
2005320737.tif 000002
【特許請求の範囲】
【請求項１】
複数の植生孔が壁面に貫通形成された擁壁ブロックであって、各植生孔の内周部分が保水性材から形成されている、ことを特徴とする擁壁ブロック。
【請求項２】
植生孔の内周部分は擁壁ブロックに一体形成された保水性を有する多孔質の筒状体から成り、該筒状体の内孔によって植生孔が構成されている、ことを特徴とする請求項１に記載の擁壁ブロック。
【請求項３】
植生孔の内周部分は擁壁ブロックと別体に形成された保水性を有する多孔質の筒状体から成り、該筒状体を擁壁ブロックに貫通形成された取付孔に装着することによりその内孔によって植生孔が構成されている、ことを特徴とする請求項１に記載の擁壁ブロック。
【請求項４】
複数の植生孔が壁面に貫通形成された擁壁ブロックであって、各植生孔の表面側開口の上縁から内側に向けて植生孔の中心線勾配よりも大きな勾配を有する雨水導入用のテーパー面を設けた、ことを特徴とすることを特徴とする擁壁ブロック。
【請求項５】
請求項１〜４の何れか１項に記載の擁壁ブロックを所定配列で並べ、各擁壁ブロックの植生孔及びその裏面側に育成土を設けて構築された、ことを特徴とする擁壁構造物。
【請求項６】
各植生孔の表面側開口が茎葉挿通孔を有する孔付きシートによって覆われている、ことを特徴とする請求項４に記載の擁壁構造物。
【請求項７】
保水性を有する筒状体と、該筒状体の内孔に充填された育成土と、筒状体の一端開口を塞ぐ着脱自在な閉塞シートと、茎葉挿通孔を有し筒状体の他端開口を覆う孔付きシートとを備える、ことを特徴とする植生ユニット。
【請求項８】
育成土には苗木が植えられていて該苗木の茎葉部分が孔付きシートの茎葉挿通孔を通じて外部に露出している、ことを特徴とする請求項６に記載の植生ユニット。
【発明の詳細な説明】
【技術分野】
【０００１】
本発明は、緑化用の擁壁ブロックと、該擁壁ブロックを用いて構築された擁壁構造物と、該擁壁構造物に有用な植生ユニットに関する。
【背景技術】
【０００２】
近年における自然保護や緑化の推進に伴い、壁面の一部または全部を植物で覆うことが可能な擁壁構造物の構築が望まれている。
【０００３】
この種の擁壁構造物は、緑化用として製作された擁壁ブロック、即ち、複数の植生孔が壁面に貫通形成された擁壁ブロックを所定配列で並べ、各擁壁ブロックの植生孔及びその裏面側に培養土等の育成土を設けることにより構築されている。各植生孔内には苗木が植栽されるか或いは種子が播種され、育成した植物の茎葉部分によって擁壁構造物の壁面が覆われて所期の緑化が実現される。
【特許文献１】特開２００２−９７６５２号公報
【発明の開示】
【発明が解決しようとする課題】
【０００４】
前記の緑化を的確に実現するには植生孔内の植物に必要量の水分を与えてその育成を図る必要があるが、該水分は主として雨水から得られるため特に雨量の少ない時期及び地域にあっては水分不足を原因として植生孔内の植物に萎れや枯れ等が生じ得る。
【０００５】
本発明は前記事情に鑑みてなされたもので、その目的とするところは、植生孔内の植物に水分不足を原因として萎れや枯れ等が生じ得ることを防止できる擁壁ブロックと、該擁壁ブロックを用いて構築された擁壁構造物と、該擁壁構造物に有用な植生ユニットを提供することにある。
【課題を解決するための手段】
【０００６】
前記目的を達成するため、本発明に係る擁壁ブロックは、複数の植生孔が壁面に貫通形成された擁壁ブロックであって、各植生孔の内周部分が保水性材から形成されている、ことをその特徴とする。また、本発明に係る擁壁ブロックは、各植生孔の表面側開口の上縁から内側に向けて植生孔の中心線勾配よりも大きな勾配を有する雨水導入用のテーパー面を設けた、ことをその特徴とする。
【０００７】
さらに、本発明に係る擁壁構造物は、前記擁壁ブロックを所定配列で並べ、各擁壁ブロックの植生孔及びその裏面側に育成土を設けて構築された、ことをその特徴とする。
【０００８】
前者の擁壁ブロック及びこれを用いて構築された擁壁構造物によれば、植生孔の内周部分に保水能力を持たせ、雨水等を植生孔の内周部分に積極的に吸い込んで保水することができるので、雨量の少ない時期及び地域にあっても植生孔の内周部分に保水された水分を有効利用して該植生孔内の植物に萎れや枯れ等が生じ得ることを防止し、所期の緑化を的確に実現することができる。
【０００９】
後者の擁壁ブロック及びこれを用いて構築された擁壁構造物によれば、降雨時には壁部の表面を伝わって流れる雨水を急勾配のテーパー面を通じて植生孔内に積極的に導いて植生孔内の育成土に保水させることができるので、雨量の少ない時期及び地域にあっても植生孔内の育成土に保水された水分を有効利用して該植生孔内の植物に萎れや枯れ等が生じ得ることを防止し、所期の緑化を的確に実現することができる。
【００１０】
さらに、本発明に係る植生ユニットは、保水性を有する筒状体と、該筒状体の内孔に充填された育成土と、筒状体の一端開口を塞ぐ着脱自在な閉塞シートと、茎葉挿通孔を有し筒状体の他端開口を覆う孔付きシートとを備える、ことをその特徴とする。
【００１１】
この植生ユニットによれば、擁壁ブロックに形成した貫通孔に筒状体を装着することにより、内周部分が保水性材から成る植生孔を形成できると同時に植生孔への育成土充填を行うことができるので、前記擁壁構造物の構築に係る作業の効率化を図ることができる。
【発明の効果】
【００１２】
本発明によれば、植生孔内の植物に水分不足を原因として萎れや枯れ等が生じ得ることを防止できる擁壁ブロックと、該擁壁ブロックを用いて構築された擁壁構造物と、該擁壁構造物に有用な植生ユニットを提供することができる。
【００１３】
本発明の前記目的とそれ以外の目的と、構成特徴と、作用効果は、以下の説明と添付図面によって明らかとなる。
【発明を実施するための最良の形態】
【００１４】
［第１実施形態］
図１〜図５は本発明の第１実施形態を示す。図１は擁壁ブロックの縦断面図、図２は図１に示した擁壁ブロックの正面図、図３は図１及び図２に示した擁壁ブロックを用いて構築された擁壁構造物の第１の構造例を示す縦断面図、図４は図３の要部拡大正面図、図５は図１及び図２に示した擁壁ブロックを用いて構築された擁壁構造物の第２の構造例を示す縦断面図である。
【００１５】
まず、図１及び図２を参照して、擁壁ブロックの構成について説明する。
【００１６】
この擁壁ブロック１は矩形状の壁部１ａと矩形状の底版部１ｂとを連続して備え、縦断面がＬ字形を成している。壁部１ａには上下方向と左右方向に間隔をおいて計４個の植生孔１ｃが貫通して設けられ、これら植生孔１ｃの下側には計２個の水抜き孔１ｅが貫通して設けられている。
【００１７】
前記植生孔１ｃは擁壁ブロック１に一体形成された多孔質の筒状体１ｄの内孔によって構成されている。この筒状体１ｄは好ましくはポーラスコンクリートやポーラスプラスチック等の多孔質材から成り、表面及び内部に多数の微細孔を規則的或いは不規則的に有し保水性及び吸水性を有している。つまり、各植生孔１ｃの内周部分は保水性材から形成されていることになる。
【００１８】
前記筒状体１ｄを擁壁ブロック１に設ける方法としては、所定形状の筒状体１ｄを予め作成しておき、この筒状体１ｄを擁壁ブロック製造用型枠の所定位置にセットしてコンクリートを打設する、所謂、インサート成形法が好適に採用できる。
【００１９】
前記各植生孔１ｃは壁部１ａの表面から裏面に向かって斜め下向きに傾いた断面円形或いは断面楕円形の孔から成る。壁部１ａの厚さにもよるが各植生孔１ｃの中心線と壁部１ａの表面との成す角度は４５±１５度程度が望ましい。図面には各植生孔１ｃとして壁部１ａの表面から裏面に向けて孔の大きさ（孔中心線と直交する孔の断面形状）が変わらないものを示してあるが、表面から裏面に向けて孔の大きさが徐々に小さくなるものや表面から裏面に向けて孔の大きさが徐々に大きくなるものを植生孔１ｃとして用いてもよい。
【００２０】
また、壁部１ａの裏面側に設けられる育成土が植生孔１ｃを通じて壁部１ａの表面側に流出することを抑制するために、各植生孔１ｃの表面側開口の下端ｈ１の高さは裏面側開口の上端ｈ２の高さよりも高くなっている。勿論、各植生孔１ｃの表面側開口の下端ｈ１の高さは裏面側開口の上端ｈ２の高さと同じか多少低くても同様の流出抑制効果は得られる。
【００２１】
次に、図３及び図４を参照して、図１及び図２に示した擁壁ブロックを用いて構築された擁壁構造物の第１の構造例について説明する。
【００２２】
図３に示した擁壁構造物を構築するときには、基礎土壌の上に基礎砕石１１を敷設し、その上に基礎コンクリート１２を形成し、その上に擁壁ブロック１の底版部１ｂを据え付ける。そして、擁壁ブロック１の底版部１ｂを覆うように土の埋め戻し及び転圧を繰り返し行う。
【００２３】
埋め戻し土１６の上面が水抜き孔１ｅの裏面側開口の下端に近づいたところで止水コンクリート１４を壁部１ａの裏面側に形成し、水抜き孔１ｅの裏面側開口に排水フィルター１３を装着する。この排水フィルター１３の装着は基礎コンクリート１２の上に擁壁ブロック１の底版部１ｂを据え付ける段階で行ってもよい。
【００２４】
この後は、止水コンクリート１４の上に裏込材１５を順次置き、且つ、それ以外の部分に土の埋め戻し及び転圧を繰り返し行う。因みに、裏込材１５は砕石等から成り透水性を有している。
【００２５】
裏込材１５の上面が下側の植生孔１ｃの裏面側開口の下端に近づいたところで排水シート１７の下端を壁部１ａの裏面に粘着テープや接着剤等を用いて止着し、排水シート１７の前側に育成土１８を順次挿入し、その後側に裏込材１５を順次置き、且つ、それ以外の部分に土の埋め戻し及び転圧を繰り返し行う。因みに、育成土１８には肥料分を含む培養土や腐葉土の他、下水や汚水処理場で発生した汚泥や建築用木材加工時に発生した根や枝等のチップを発酵，熟成して得た堆肥を含む土等が好ましく使用される。
【００２６】
前記の作業途中で育成土１８の上面が下側の植生孔１ｃの下端に達したとき、また、育成土１８の上面が上側の植生孔１ｃの下端に達したときは、各植生孔１ｃにも育成土１８を充填して苗木Ｐの植栽を行う。
【００２７】
育成土１８及び裏込材１５の高さが所定高さに達した後は、壁部１ａの裏側及び前側に所定高さに至るまで土の埋め戻し及び転圧を繰り返し行う。
【００２８】
この後は、図４に示すように、各植生孔１ｃの表面側開口を茎葉挿通孔１９ａを有する孔付きシート１９によって覆う。この孔付きシート１９はプラスチックフィルム等から成りその一面周囲を接着剤等を用いて筒状体１ｄの前面に止着され、この止着時には植栽後の苗木Ｐの茎葉部分が孔付きシート１９の茎葉挿通孔１９ａを通じて外部に露出するようにする。
【００２９】
図３に示した擁壁構造物にあっては、図中に矢印で示すように、埋め戻し土１６内の余剰水は裏込材１５及び排水フィルター１３を通じて水抜き孔１ｅから壁部１ａの表面側に排出され、また、育成土１８内の余剰水は排水シート１７，裏込材１５及び排水フィルター１３を通じて水抜き孔１ｅから壁部１ａの表面側に排出される。排水シート１７には水の通過を許容し、且つ、育成土１８の流出を阻止できるものが使用されているので、余剰水の流出に際して育成土１８が目減りすることはない。
【００３０】
次に、図５を参照して、図１及び図２に示した擁壁ブロックを用いて構築された擁壁構造物の第２の構造例について説明する。
【００３１】
図５に示した擁壁構造物を構築するときには、基礎土壌の上に基礎砕石１１を敷設し、その上に基礎コンクリート１２を形成し、その上に擁壁ブロック１の底版部１ｂを据え付ける。そして、擁壁ブロック１の底版部１ｂを覆うように土の埋め戻し及び転圧を繰り返し行う。
【００３２】
埋め戻し土１６の上面が水抜き孔１ｅの裏面側開口の下端に近づいたところで止水コンクリート１４を壁部１ａの裏面側に形成し、水抜き孔１ｅの裏面側開口に排水フィルター１３を装着する。この排水フィルター１３の装着は基礎コンクリート１２の上に擁壁ブロック１の底版部１ｂを据え付ける段階で行ってもよい。
【００３３】
この後は、止水コンクリート１４の上に裏込材１５を順次置き、且つ、それ以外の部分に土の埋め戻し及び転圧を繰り返し行う。因みに、裏込材１５は砕石等から成り透水性を有している。
【００３４】
裏込材１５の上面が下側の植生孔１ｃの裏面側開口の下端に近づいたところで排水シート１７の下端を壁部１ａの裏面に粘着テープや接着剤等を用いて止着し、排水シート１７の前側には育成土１８を順次挿入し、その後側に裏込材１５を順次置き、且つ、それ以外の部分に土の埋め戻し及び転圧を繰り返し行う。因みに、育成土１８には肥料分を含む培養土や腐葉土の他、下水や汚水処理場で発生した汚泥や建築用木材加工時に発生した根や枝等のチップを発酵，熟成して得た堆肥を含む土等が好ましく使用される。
【００３５】
前記の作業途中で育成土１８の上面が下側の植生孔１ｃの下端に達したとき、また、育成土１８の上面が上側の植生孔１ｃの下端に達したときは、各植生孔１ｃに植生ユニットＰＹ１の袋状部ＰＹ１ａを挿入する。
【００３６】
この植生ユニットＰＹ１は、育成土が入れられた袋状部ＰＹ１ａと、根の部分が袋状部ＰＹ１ａ内に位置する苗木ＰＹ１ｂとから成る。袋状部ＰＹ１ａは通気性及び通水性を備え、且つ、根の張り出しを許容する織布や不織布、好ましくは時間経過による自然分解を可能とした生分解性材料から形成されている。また、植生ユニットＰＹ１の袋状部ＰＹ１ａを植生孔１ｃに挿入する時には、袋状部ＰＹ１ａの挿入端をカットするか結び目を解くことで開放することが望ましい。
【００３７】
育成土１８及び裏込材１５の高さが所定高さに達した後は、壁部１ａの裏側及び前側に所定高さに至るまで土の埋め戻し及び転圧を繰り返し行う。
【００３８】
図５に示した擁壁構造物にあっては、図中に矢印で示すように、埋め戻し土１６内の余剰水は裏込材１５及び排水フィルター１３を通じて水抜き孔１ｅから壁部１ａの表面側に排出され、また、育成土１８内の余剰水は排水シート１７，裏込材１５及び排水フィルター１３を通じて水抜き孔１ｅから壁部１ａの表面側に排出される。排水シート１７には水の通過を許容し、且つ、育成土１８の流出を阻止できるものが使用されているので、余剰水の流出に際して育成土１８が目減りすることはない。
【００３９】
前述の擁壁ブロック１及びこれを用いて構築された擁壁構造物によれば、擁壁ブロック１に一体形成された保水性を有する多孔質の筒状体１ｄの内孔によって植生孔１ｃを構成することにより該植生孔１ｃの内周部分に保水能力を持たせてあるので、雨水等を植生孔１ｃの内周部分に積極的に吸い込んで保水することができる。依って、雨量の少ない時期及び地域にあっても植生孔１ｃの内周部分に保水された水分を有効利用して該植生孔１ｃ内の植物に萎れや枯れ等が生じ得ることを防止し、所期の緑化を的確に実現することができる。
【００４０】
また、植生孔１ｃの保水性内周部分が多孔質の筒状体１ｄによって構成されていて、植生孔１ｃ内の植物の根を該筒状体１ｄの内面から内部に食い込むようにして伸び拡がらせて擁壁ブロック自体に結合したような状態とすることができるので、雨風等によって植物の露出部分に引っ張り力に相当する力が作用しても該植物が植生孔１ｃから飛び出したり脱落してしまうことを防止することができる。
【００４１】
さらに、図３に示した擁壁構造物にあっては、植生孔１ｃの表面側開口が茎葉挿通孔１９ａを有する孔付きシート１９によって覆われているので、植生孔１ｃ内の育成土１８及び筒状体１ｄからの水分の蒸散防止と、自然飛来による雑草種子の植生孔１ｃ内への侵入防止と、植生孔１ｃ内の育成土１８の流出防止を図ることができる。図５に示した擁壁構造物にはこのような孔付きシート１９は存しないが、該擁壁構造物にあっても植生ユニットＰＹ１の袋状部ＰＹ１ａ内の育成土は袋状部ＰＹ１ａによって覆われているので該袋状部ＰＹ１ａによって前記孔付きシート１９と同様の作用効果を得ることができる。
【００４２】
尚、図３に示した擁壁構造物にあっては植生孔１ｃ内に苗木Ｐを植栽したものを示したが、苗木Ｐを植栽する代わりに種子を植生孔１ｃ内に播種するようにしてもよい。勿論、植栽または播種を行う作業を別途行う場合には、植生孔１ｃ内に育成土１８を充填して孔付きシート１９を止着するに止めてもよい。また、図５に示した擁壁構造物にあっては植生孔１ｃ内に苗木ＰＹ１ｂを有する植生ユニットＰＹ１の袋状部ＰＹ１ａを植生孔１ｃ内に挿入したものを示したが、苗木ＰＹ１ｂの代わりに植物の種子を袋状部ＰＹ１ａに埋設した植生ユニットの袋状部を植生孔１ｃ内に挿入するようにしてもよい。
【００４３】
さらに、図１及び図２に示した擁壁ブロック１にあっては筒状体１ｄを多孔質材から形成したものを示したが、筒状体１ｄを作成する際に該筒状体１ｄの材料成分に炭粒子や肥料粒子等の育成補助材を添加するか、或いは、作成後の筒状体１ｄの微細孔に同様の育成補助剤または育成土１８をまぶして振動を付与する手法等によって充填すれば、筒状体１ｄにおける微生物等の活性化を図って植物の育成及び根張り作用を高めることができる。筒状体１ｄは多孔質材であるので、作成後の筒状体１ｄに育成補助剤または育成土１８を充填する場合でもこれらが筒状部１ｄから流出することを防止して前記作用を持続して得ることができる。
【００４４】
［第２実施形態］
図６〜図１１は本発明の第２実施形態を示す。図６は擁壁ブロックの縦断面図、図７は図６に示した擁壁ブロックの正面図、図８は図６及び図７に示した擁壁ブロックを用いて構築された擁壁構造物の第１の構造例を示す縦断面図、図９は図８の要部拡大正面図、図１０は図６及び図７に示した擁壁ブロックを用いて構築された擁壁構造物の第２の構造例を示す縦断面図、図１１は図６に示した筒状体の形状変形例を示す図、図１２は図６及び図７に示した擁壁ブロックに適用可能な植生ユニットの縦断面図である。
【００４５】
まず、図６及び図７を参照して、擁壁ブロックの構成について説明する。
【００４６】
この擁壁ブロック２は矩形状の壁部２ａと矩形状の底版部２ｂとを連続して備え、縦断面がＬ字形を成している。壁部２ａには上下方向と左右方向に間隔をおいて計４個の取付孔２ｃが貫通して設けられ、これら取付孔２ｃの下側には計２個の水抜き孔２ｅが貫通して設けられている。
【００４７】
また、各取付孔２ｃには擁壁ブロック２と別体に形成された多孔質の筒状体２ｄが装着されており、該筒状体２ｄの内孔によって植生孔２ｄ２が構成されている。この筒状体２ｄは好ましくはポーラスコンクリートやポーラスプラスチック等の多孔質材から成り、表面及び内部に多数の微細孔を規則的或いは不規則的に有し保水性及び吸水性を有している。つまり、各植生孔２ｄ２の内周部分は保水性材から形成されていることになる。
【００４８】
前記筒状体２ｄを擁壁ブロック２に設ける方法としては、外周面２ｄ１の径が取付孔２ｃとほぼ一致した所定形状の筒状体２ｄを予め作成しておき、この筒状体２ｄを別途作成された擁壁ブロック２の各取付孔２ｃにその表面側または裏面側から圧入ぎみに押し込んで取り付ける方法が好適に採用できる。
【００４９】
前記各植生孔２ｄ２は壁部２ａの表面から裏面に向かって斜め下向きに傾いた断面円形または断面楕円形の孔から成る。壁部２ａの厚さにもよるが各植生孔２ｄ２の中心線と壁部２ａの表面との成す角度は４５±１５度程度が望ましい。図面には各植生孔２ｄ２として壁部２ａの表面から裏面に向けて孔の大きさ（孔中心線と直交する孔の断面形状）が変わらないものを示してあるが、表面から裏面に向けて孔の大きさが徐々に小さくなるものや表面から裏面に向けて孔の大きさが徐々に大きくなるものを植生孔２ｄ２として用いてもよい。
【００５０】
また、壁部２ａの裏面側に設けられる育成土が植生孔２ｄ２を通じて壁部２ａの表面側に流出することが抑制できるように、各植生孔２ｄ２の表面側開口の下端ｈ１の高さは裏面側開口の上端ｈ２の高さよりも高くなっている。勿論、各植生孔２ｄ２の表面側開口の下端ｈ１の高さは裏面側開口の上端ｈ２の高さと同じか多少低くても同様の流出抑制効果は得られる。
【００５１】
次に、図８及び図９を参照して、図６及び図７に示した擁壁ブロックを用いて構築された擁壁構造物の第１の構造例について説明する。
【００５２】
図８に示した擁壁構造物を構築するときには、基礎土壌の上に基礎砕石１１を敷設し、その上に基礎コンクリート１２を形成し、その上に擁壁ブロック２の底版部２ｂを据え付ける。そして、擁壁ブロック２の底版部２ｂを覆うように土の埋め戻し及び転圧を繰り返し行う。
【００５３】
埋め戻し土１６の上面が水抜き孔２ｅの裏面側開口の下端に近づいたところで止水コンクリート１４を壁部２ａの裏面側に形成し、水抜き孔２ｅの裏面側開口に排水フィルター１３を装着する。この排水フィルター１３の装着は基礎コンクリート１２の上に擁壁ブロック２の底版部２ｂを据え付ける段階で行ってもよい。
【００５４】
この後は、止水コンクリート１４の上に裏込材１５を順次置き、且つ、それ以外の部分に土の埋め戻し及び転圧を繰り返し行う。因みに、裏込材１５は砕石等から成り透水性を有している。
【００５５】
裏込材１５の上面が下側の植生孔２ｄ２の裏面側開口の下端に近づいたところで排水シート１７の下端を壁部１ａの裏面に粘着テープや接着剤等を用いて止着し、排水シート１７の前側に育成土１８を順次挿入し、その後側に裏込材１５を順次置き、且つ、それ以外の部分に土の埋め戻し及び転圧を繰り返し行う。因みに、育成土１８には肥料分を含む培養土や腐葉土の他、下水や汚水処理場で発生した汚泥や建築用木材加工時に発生した根や枝等のチップを発酵，熟成して得た堆肥を含む土等が好ましく使用される。
【００５６】
前記の作業途中で育成土１８の上面が下側の植生孔２ｄ２の下端に達したとき、また、育成土１８の上面が上側の植生孔２ｄ２の下端に達したときは、各植生孔２ｄ２にも育成土１８を充填して苗木Ｐの植栽を行う。
【００５７】
育成土１８及び裏込材１５の高さが所定位置に達した後は、壁部２ａの裏側及び前側に所定高さに至るまで土の埋め戻し及び転圧を繰り返し行う。
【００５８】
この後は、図９に示すように、各植生孔２ｄ２の表面側開口を茎葉挿通孔１９ａを有する孔付きシート１９によって覆う。この孔付きシート１９はプラスチックフィルム等から成りその一面周囲を接着剤等を用いて筒状体２ｄの前面に止着され、この止着時には植栽後の苗木Ｐの茎葉部分が孔付きシート１９の茎葉挿通孔１９ａを通じて外部に露出するようにする。
【００５９】
図８に示した擁壁構造物にあっては、図中に矢印で示すように、埋め戻し土１６内の余剰水は裏込材１５及び排水フィルター１３を通じて水抜き孔２ｅから壁部２ａの表面側に排出され、また、育成土１８内の余剰水は排水シート１７，裏込材１５及び排水フィルター１３を通じて水抜き孔２ｅから壁部２ａの表面側に排出される。排水シート１７には水の通過を許容し、且つ、育成土１８の流出を阻止できるものが使用されているので、余剰水の流出に際して育成土１８が目減りすることはない。
【００６０】
次に、図１０を参照して、図６及び図７に示した擁壁ブロックを用いて構築された擁壁構造物の第２の構造例について説明する。
【００６１】
図１０に示した擁壁構造物を構築するときには、基礎土壌の上に基礎砕石１１を敷設し、その上に基礎コンクリート１２を形成し、その上に擁壁ブロック２の底版部２ｂを据え付ける。そして、擁壁ブロック２の底版部２ｂを覆うように土の埋め戻し及び転圧を繰り返し行う。
【００６２】
埋め戻し土１６の上面が水抜き孔２ｅの裏面側開口の下端に近づいたところで止水コンクリート１４を壁部２ａの裏面側に形成し、水抜き孔２ｅの裏面側開口に排水フィルター１３を装着する。この排水フィルター１３の装着は基礎コンクリート１２の上に擁壁ブロック２の底版部２ｂを据え付ける段階で行ってもよい。
【００６３】
この後は、止水コンクリート１４の上に裏込材１５を順次置き、且つ、それ以外の部分に土の埋め戻し及び転圧を繰り返し行う。因みに、裏込材１５は砕石等から成り透水性を有している。
【００６４】
裏込材１５の上面が下側の植生孔２ｄ２の裏面側開口の下端に近づいたところで排水シート１７の下端を壁部２ａの裏面に粘着テープや接着剤等を用いて止着し、排水シート１７の前側には育成土１８を順次挿入し、その後側に裏込材１５を順次置き、且つ、それ以外の部分に土の埋め戻し及び転圧を繰り返し行う。因みに、育成土１８には肥料分を含む培養土や腐葉土の他、下水や汚水処理場で発生した汚泥や建築用木材加工時に発生した根や枝等のチップを発酵，熟成して得た堆肥を含む土等が好ましく使用される。
【００６５】
前記の作業途中で育成土１８の上面が下側の植生孔２ｄ２の下端に達したとき、また、育成土１８の上面が上側の植生孔２ｄ２の下端に達したときは、各植生孔２ｄ２に植生ユニットＰＹ１の袋状部ＰＹ１ａを挿入する。
【００６６】
この植生ユニットＰＹ１は、育成土が入れられた袋状部ＰＹ１ａと、根の部分が袋状部ＰＹ１ａ内に位置する苗木ＰＹ１ｂとから成る。袋状部ＰＹ１ａは通気性及び通水性を備え、且つ、根の張り出しを許容する織布や不織布、好ましくは時間経過による自然分解を可能とした生分解性材料から形成されている。また、植生ユニットＰＹ１の袋状部ＰＹ１ａを植生孔２ｄ２に挿入する時には、袋状部ＰＹ１ａの挿入端をカットするか結び目を解くことで開放することが望ましい。
【００６７】
育成土１８及び裏込材１５の高さが所定位置に達した後は、壁部２ａの裏側及び前側に所定高さに至るまで土の埋め戻し及び転圧を繰り返し行う。
【００６８】
図１０に示した擁壁構造物にあっては、図中に矢印で示すように、埋め戻し土１６内の余剰水は裏込材１５及び排水フィルター１３を通じて水抜き孔２ｅから壁部２ａの表面側に排出され、また、育成土１８内の余剰水は排水シート１７，裏込材１５及び排水フィルター１３を通じて水抜き孔２ｅから壁部２ａの表面側に排出される。排水シート１７には水の通過を許容し、且つ、育成土１８の流出を阻止できるものが使用されているので、余剰水の流出に際して育成土１８が目減りすることはない。
【００６９】
前述の擁壁ブロック２及びこれを用いて構築された擁壁構造物によれば、擁壁ブロック２に別体で設けられた多孔質の筒状体２ｄの内孔によって植生孔２ｄ２を構成することにより該植生孔２ｄ２の内周部分に保水能力を持たせてあるので、雨水等を植生孔２ｄ２の内周部分に積極的に吸い込んで保水することができる。依って、雨量の少ない時期及び地域にあっても植生孔２ｄ２の内周部分に保水された水分を有効利用して該植生孔２ｄ２内の植物に萎れや枯れ等が生じ得ることを防止し、所期の緑化を的確に実現することができる。
【００７０】
また、植生孔２ｄ２の保水性内周部分が多孔質の筒状体２ｄによって構成されていて、植生孔２ｃ内の植物の根を該筒状体２ｄの内面から内部に食い込むようにして伸び拡がらせて擁壁ブロック自体に結合したような状態とすることができるので、雨風等によって植物の露出部分に引っ張り力に相当する力が作用しても該植物が植生孔２ｄ２から飛び出したり脱落してしまうことを防止することができる。
【００７１】
さらに、図８に示した擁壁構造物にあっては、植生孔２ｄ２の表面側開口が茎葉挿通孔１９ａを有する孔付きシート１９によって覆われているので、植生孔２ｄ２内の育成土１８及び筒状体２ｄからの水分の蒸散防止と、自然飛来による雑草種子の植生孔２ｄ２内への侵入防止と、植生孔２ｄ２内の育成土１８の流出防止を図ることができる。図１０に示した擁壁構造物にはこのような孔付きシート１９は存しないが、該擁壁構造物にあっても植生ユニットＰＹ１の袋状部ＰＹ１ａ内の育成土は袋状部ＰＹ１ａによって覆われているので該袋状部ＰＹ１ａによって前記孔付きシート１９と同様の作用効果を得ることができる。
【００７２】
尚、図８に示した擁壁構造物にあっては植生孔２ｄ２内に苗木Ｐを植栽したものを示したが、苗木Ｐを植栽する代わりに種子を植生孔２ｄ２内に播種するようにしてもよい。勿論、植栽または播種を行う作業を別途行う場合には、植生孔２ｄ２内に育成土１８を充填して孔付きシート１９を止着するに止めてもよい。また、図１０に示した擁壁構造物にあっては植生孔２ｄ２内に苗木ＰＹ１ｂを有する植生ユニットＰＹ１の袋状部ＰＹ１ａを植生孔２ｄ２内に挿入したものを示したが、苗木ＰＹ１ｂの代わりに植物の種子を袋状部ＰＹ１ａに埋設した植生ユニットの袋状部を植生孔２ｄ２内に挿入するようにしてもよい。
【００７３】
さらに、図６及び図７に示した擁壁ブロック２にあっては筒状体２ｄを多孔質材から形成したものを示したが、筒状体２ｄを作成する際に該筒状体２ｄの材料成分に炭粒子や肥料粒子等の育成補助材を添加するか、或いは、作成後の筒状体２ｄの微細孔に同様の育成補助剤または育成土１８をまぶして振動を付与する手法等によって充填すれば、筒状体２ｄにおける微生物等の活性化を図って植物の育成及び根張り作用を高めることができる。筒状体２ｄは多孔質材であるので、作成後の筒状体２ｄに育成補助剤または育成土１８を充填する場合でもこれらが筒状部２ｄから流出することを防止して前記作用を持続して得ることができる。
【００７４】
さらに、図６に示した擁壁ブロック２にあっては取付孔２ｃにその表面側または裏面側から筒状体２ｄを押し込んで取り付けたものを示したが、図１１（Ａ）に示すように取付孔２ｃ’をその表面側開口の大きさ＞裏面側開口の大きさとなるような円錐台形状とし筒状体２ｄ’の外周面２ｄ１’をこれと同様の円錐台形状とすれば、または、図１１（Ｂ）に示すように取付孔２ｃ”をその表面側開口の大きさ＜裏面側開口の大きさとなるような円錐台形状とし筒状体２ｄ”の外周面２ｄ１”をこれと同様の円錐台形状とすれば、筒状体２ｄ’，２ｄ”の押し込み方向を表面側と裏面側の何れか一方に規定することができ、しかも、筒状体２ｄ’，２ｄ”が押し込み方向に抜け出してしまうことも防止できる。
【００７５】
さらに、図８に示した擁壁構造物と図１０に示した擁壁構造物にあっては擁壁ブロック２の取付孔２ｃに筒状体２ｄを取り付けてから植生孔２ｄ２内に育成土の充填と植栽または播種を行うものを示したが、図１２（Ａ）及び図１２（Ｂ）に示す植生ユニットＰＹ２，ＰＹ３を用いれば、筒状体２ｄの取り付けと同時に育成土の充填と植栽または播種を行って前記擁壁構造物の構築に係る作業の効率化を図ることができる。
【００７６】
図１２（Ａ）に示した植生ユニットＰＹ２は、保水性を有する筒状体ＰＹ２ａと、筒状体ＰＹ２ａの内孔に充填された育成土ＰＹ２ｂと、筒状体ＰＹ２ａの一端開口を塞ぐプラスチックフィルム等から成る閉塞シートＰＹ２ｃと、茎葉挿通孔ＰＹ２ｄ１を有し筒状体ＰＹ２ａの他端開口を覆うプラスチックフィルム等から成る孔付きシートＰＹ２ｄと、育成土ＰＹ２ｂに植えられその茎葉部分が孔付きシートＰＹ２ｄの茎葉挿通孔ＰＹ２ｄ１を通じて外部に露出している苗木ＰＹ２ｅとを備える。筒状体ＰＹ２ａは好ましくはポーラスコンクリートやポーラスプラスチック等の多孔質材から成り、表面及び内部に多数の微細孔を規則的或いは不規則的に有し保水性及び吸水性を有している。
【００７７】
図１２（Ｂ）に示した植生ユニットＰＹ３は、保水性を有する筒状体ＰＹ３ａと、筒状体ＰＹ３ａの内孔に充填された育成土ＰＹ３ｂと、筒状体ＰＹ３ａの一端開口を塞ぐ閉塞シートＰＹ３ｃと、茎葉挿通孔ＰＹ３ｄ１を有し筒状体ＰＹ３ａの他端開口を覆う孔付きシートＰＹ３ｄと、育成土ＰＹ３ｂに埋め込まれた種子（図示省略）とを備える。筒状体ＰＹ３ａは好ましくはポーラスコンクリートやポーラスプラスチック等の多孔質材から成り、表面及び内部に多数の微細孔を規則的或いは不規則的に有し保水性及び吸水性を有している。
【００７８】
両植生ユニットＰＹ２，ＰＹ３の閉塞シートＰＹ２ｃ，ＰＹ３ｃは筒状体ＰＹ２ａ，ＰＹ３ａを取付孔２ｃに押し込んで取り付ける際に取り除かれるが、閉塞シートＰＹ２ｃ，ＰＹ３ｃとして生分解性材料なるシートを用いれば該シートを取り除く必要はない。勿論、植栽または播種を行う作業を筒状体ＰＹ２ａ，ＰＹ３ａの取付作業後に別途行う場合には、苗木及び種子を有しないものを植生ユニットとして使用することもできる。また、筒状体ＰＹ２ａ，ＰＹ３ａの形状を図１１（Ａ）及び図１１（Ｂ）に示すような円錐台形状として押し込み方向を規定できるようにしてもよい。
【００７９】
［第３実施形態］
図１３〜図１８は本発明の第３実施形態を示す。図１３は擁壁ブロックの縦断面図、図１４は図１３に示した擁壁ブロックの正面図、図１５は図１３及び図１４に示した擁壁ブロックを用いて構築された擁壁構造物の第１の構造例を示す縦断面図、図１６は図１５の要部拡大図、図１７は図１３及び図１４に示した擁壁ブロックを用いて構築された擁壁構造物の第２の構造例を示す縦断面図、図１８は図１３に示した植生孔の形状変形例を示す要部縦断面図である。
【００８０】
まず、図１３及び図１４を参照して、擁壁ブロックの構成について説明する。
【００８１】
この擁壁ブロック３は矩形状の壁部３ａと矩形状の底版部３ｂとを連続して備え、縦断面がＬ字形を成している。壁部３ａには上下方向と左右方向に間隔をおいて計４個の植生孔３ｃが貫通して設けられ、これら植生孔３ｃの下側には計２個の水抜き孔３ｄが貫通して設けられている。
【００８２】
前記各植生孔３ｃは壁部３ａの表面から裏面に向かって斜め下向きに傾いた断面円形或いは断面楕円形の孔から成る。壁部３ａの厚さにもよるが各植生孔３ｃの中心線と壁部３ａの表面との成す角度は４５±１５度程度が望ましい。図面には各植生孔３ｃとして壁部３ａの表面から裏面に向けて孔の大きさ（孔中心線と直交する孔の断面形状）が徐々に大きくなるものを示してあるが、表面から裏面に向けて孔の大きさが変わらないものや表面から裏面に向けて孔の大きさが徐々に小さくなるものを植生孔３ｃとして用いてもよい。
【００８３】
また、各植生孔３ｃの表面側開口の上縁から内側に向けて植生孔３ｃの中心線勾配よりも大きな勾配を有する雨水導入用のテーパー面３ｃ１が設けられている。図面にはテーパー面３ｃ１として植生孔３の内周曲率に準じた曲率を有する曲面から成るものを示してあるが、同様の勾配を有する平面から成るものをテーパー面３ｃ１として採用しても構わない。
【００８４】
さらに、壁部３ａの裏面側に設けられる育成土が植生孔３ｃを通じて壁部３ａの表面側に流出することを抑制するために、各植生孔３ｃの表面側開口の下端ｈ１の高さは裏面側開口の上端ｈ２の高さよりも高くなっている。勿論、各植生孔３ｃの表面側開口の下端ｈ１の高さは裏面側開口の上端ｈ２の高さと同じか多少低くても同様の流出抑制効果は得られる。
【００８５】
次に、図１５及び図１６を参照して、図１３及び図１４に示した擁壁ブロックを用いて構築された擁壁構造物の第１の構造例について説明する。
【００８６】
図１５に示した擁壁構造物を構築するときには、基礎土壌の上に基礎砕石１１を敷設し、その上に基礎コンクリート１２を形成し、その上に擁壁ブロック３の底版部３ｂを据え付ける。そして、擁壁ブロック３の底版部３ｂを覆うように土の埋め戻し及び転圧を繰り返し行う。
【００８７】
埋め戻し土１６の上面が水抜き孔３ｄの裏面側開口の下端に近づいたところで止水コンクリート１４を壁部３ａの裏面側に形成し、水抜き孔３ｄの裏面側開口に排水フィルター１３を装着する。この排水フィルター１３の装着は基礎コンクリート１２の上に擁壁ブロック３の底版部３ｂを据え付ける段階で行ってもよい。
【００８８】
この後は、止水コンクリート１４の上に裏込材１５を順次置き、且つ、それ以外の部分に土の埋め戻し及び転圧を繰り返し行う。因みに、裏込材１５は砕石等から成り透水性を有している。
【００８９】
裏込材１５の上面が下側の植生孔３ｃの裏面側開口の下端に近づいたところで排水シート１７の下端を壁部１ａの裏面に粘着テープや接着剤等を用いて止着し、排水シート１７の前側に育成土１８を順次挿入し、その後側に裏込材１５を順次置き、且つ、それ以外の部分に土の埋め戻し及び転圧を繰り返し行う。因みに、育成土１８には肥料分を含む培養土や腐葉土の他、下水や汚水処理場で発生した汚泥や建築用木材加工時に発生した根や枝等のチップを発酵，熟成して得た堆肥を含む土等が好ましく使用される。
【００９０】
前記の作業途中で育成土１８の上面が下側の植生孔３ｃの下端に達したとき、また、育成土１８の上面が上側の植生孔３ｃの下端に達したときは、各植生孔３ｃにも育成土１８を充填して苗木Ｐの植栽を行う。
【００９１】
育成土１８及び裏込材１５の高さが所定高さに達した後は、壁部３ａの裏側及び前側に所定高さに至るまで土の埋め戻し及び転圧を繰り返し行う。
【００９２】
図１５に示した擁壁構造物にあっては、図中に矢印で示すように、埋め戻し土１６内の余剰水は裏込材１５及び排水フィルター１３を通じて水抜き孔３ｄから壁部３ａの表面側に排出され、また、育成土１８内の余剰水は排水シート１７，裏込材１５及び排水フィルター１３を通じて水抜き孔３ｄから壁部３ａの表面側に排出される。排水シート１７には水の通過を許容し、且つ、育成土１８の流出を阻止できるものが使用されているので、余剰水の流出に際して育成土１８が目減りすることはない。
【００９３】
また、図１６中に矢印で示すように、降雨時には壁部３ａの表面を伝わって流れ落ちる雨水は、各植生孔３ｃの表面側開口の上端から急勾配のテーパー面３ｃ１を通じて各植生孔３ｃ内に導かれる。
【００９４】
次に、図１７を参照して、図１３及び図１４に示した擁壁ブロックを用いて構築された擁壁構造物の第２の構造例について説明する。
【００９５】
図１７に示した擁壁構造物を構築するときには、基礎土壌の上に基礎砕石１１を敷設し、その上に基礎コンクリート１２を形成し、その上に擁壁ブロック３の底版部３ｂを据え付ける。そして、擁壁ブロック３の底版部３ｂを覆うように土の埋め戻し及び転圧を繰り返し行う。
【００９６】
埋め戻し土１６の上面が水抜き孔３ｄの裏面側開口の下端に近づいたところで止水コンクリート１４を壁部３ａの裏面側に形成し、水抜き孔３ｄの裏面側開口に排水フィルター１３を装着する。この排水フィルター１３の装着は基礎コンクリート１２の上に擁壁ブロック３の底版部３ｂを据え付ける段階で行ってもよい。
【００９７】
この後は、止水コンクリート１４の上に裏込材１５を順次置き、且つ、それ以外の部分に土の埋め戻し及び転圧を繰り返し行う。因みに、裏込材１５は砕石等から成り透水性を有している。
【００９８】
裏込材１５の上面が下側の植生孔３ｃの裏面側開口の下端に近づいたところで排水シート１７の下端を壁部３ａの裏面に粘着テープや接着剤等を用いて止着し、排水シート１７の前側には育成土１８を順次挿入し、その後側に裏込材１５を順次置き、且つ、それ以外の部分に土の埋め戻し及び転圧を繰り返し行う。因みに、育成土１８には肥料分を含む培養土や腐葉土の他、下水や汚水処理場で発生した汚泥や建築用木材加工時に発生した根や枝等のチップを発酵，熟成して得た堆肥を含む土等が好ましく使用される。
【００９９】
前記の作業途中で育成土１８の上面が下側の植生孔３ｃの下端に達したとき、また、育成土１８の上面が上側の植生孔３ｃの下端に達したときは、各植生孔３ｃに植生ユニットＰＹ１の袋状部ＰＹ１ａを挿入する。
【０１００】
この植生ユニットＰＹ１は、育成土が入れられた袋状部ＰＹ１ａと、根の部分が袋状部ＰＹ１ａ内に位置する苗木ＰＹ１ｂとから成る。袋状部ＰＹ１ａは通気性及び通水性を備え、且つ、根の張り出しを許容する織布や不織布、好ましくは時間経過による自然分解を可能とした生分解性材料から形成されている。また、植生ユニットＰＹ１の袋状部ＰＹ１ａを植生孔３ｃに挿入する時には、袋状部ＰＹ１ａの挿入端をカットするか結び目を解くことで開放することが望ましい。
【０１０１】
育成土１８及び裏込材１５の高さが所定高さに達した後は、壁部３ａの裏側及び前側に所定高さに至るまで土の埋め戻し及び転圧を繰り返し行う。
【０１０２】
図１７に示した擁壁構造物にあっては、図中に矢印で示すように、埋め戻し土１６内の余剰水は裏込材１５及び排水フィルター１３を通じて水抜き孔３ｄから壁部３ａの表面側に排出され、また、育成土１８内の余剰水は排水シート１７，裏込材１５及び排水フィルター１３を通じて水抜き孔３ｄから壁部３ａの表面側に排出される。排水シート１７には水の通過を許容し、且つ、育成土１８の流出を阻止できるものが使用されているので、余剰水の流出に際して育成土１８が目減りすることはない。
【０１０３】
また、図１６中に矢印で示したように、降雨時には壁部３ａの表面を伝わって流れ落ちる雨水は、各植生孔３ｃの表面側開口の上端から急勾配のテーパー面３ｃ１を通じて各植生孔３ｃ内に導かれる。
【０１０４】
前述の擁壁ブロック３及びこれを用いて構築された擁壁構造物によれば、植生孔３ｃの表面側開口の上縁から内側に向けて植生孔３ｃの中心線勾配よりも大きな勾配を有する雨水導入用のテーパー面３ｃ１を設けてあるので、降雨時には壁部３ａの表面を伝わって流れる雨水を急勾配のテーパー面３ｃ１を通じて植生孔３ｃ内に積極的に導いて植生孔３ｃ内の育成土１８に保水させることができる。依って、雨量の少ない時期及び地域にあっても植生孔３ｃ内の育成土１８に保水された水分を有効利用して該植生孔３ｃ内の植物に萎れや枯れ等が生じ得ることを防止し、所期の緑化を的確に実現することができる。
【０１０５】
また、図１７に示した擁壁構造物にあっては、植生ユニットＰＹ１の袋状部ＰＹ１ａ内の育成土は袋状部ＰＹ１ａによって覆われているので、植生孔３ｃ（袋状部ＰＹ１ａ）内の育成土からの水分の蒸散防止と、自然飛来による雑草種子の植生孔３ｃ（袋状部ＰＹ１ａ）内への侵入防止と、植生孔３ｃ（袋状部ＰＹ１ａ）内の育成土の流出防止を図ることができる。
【０１０６】
尚、図１５に示した擁壁構造物にあっては植生孔３ｃ内に苗木Ｐを植栽したものを示したが、苗木Ｐを植栽する代わりに種子を植生孔３ｃ内に播種するようにしてもよい。勿論、植栽または播種を行う作業を別途行う場合には、植生孔３ｃ内に育成土１８を充填するに止めてもよい。また、図１６に示した擁壁構造物にあっては植生孔３ｃ内に苗木ＰＹ１ｂを有する植生ユニットＰＹ１の袋状部ＰＹ１ａを植生孔３ｃ内に挿入したものを示したが、苗木ＰＹ１ｂの代わりに植物の種子を袋状部ＰＹ１ａに埋設した植生ユニットの袋状部を植生孔３ｃ内に挿入するようにしてもよい。
【０１０７】
また、図１３に示した擁壁ブロック３にあっては植生孔３ｃの表面側開口の上縁から内側に向けて植生孔３ｃの中心線勾配よりも大きな勾配を有する雨水導入用のテーパー面３ｃ１を設けたものを示したが、図１８に示すような突条部３ｃ２を植生孔３ｃの表面側開口の下縁に沿って設ければ、植生孔３ｃ内への雨水の導入作用をより高めることができると共に植生孔３ｃ内の育成土１８の流出を防止することができる。
【図面の簡単な説明】
【０１０８】
【図１】本発明の第１実施形態に係る擁壁ブロックの縦断面図である。
【図２】図１に示した擁壁ブロックの正面図である。
【図３】図１及び図２に示した擁壁ブロックを用いて構築された擁壁構造物の第１の構造例を示す縦断面図である。
【図４】図３の要部拡大正面図である。
【図５】図１及び図２に示した擁壁ブロックを用いて構築された擁壁構造物の第２の構造例を示す縦断面図である。
【図６】本発明の第２実施形態に係る擁壁ブロックの縦断面図である。
【図７】図６に示した擁壁ブロックの正面図である。
【図８】図６及び図７に示した擁壁ブロックを用いて構築された擁壁構造物の第１の構造例を示す縦断面図である。
【図９】図８の要部拡大正面図である。
【図１０】図６及び図７に示した擁壁ブロックを用いて構築された擁壁構造物の第２の構造例を示す縦断面図である。
【図１１】図６に示した筒状体の形状変形例を示す図である。
【図１２】図６及び図７に示した擁壁ブロックに適用可能な植生ユニットの縦断面図である。
【図１３】本発明の第３実施形態に係る擁壁ブロックの縦断面図である。
【図１４】図１３に示した擁壁ブロックの正面図である。
【図１５】図１３及び図１４に示した擁壁ブロックを用いて構築された擁壁構造物の第１の構造例を示す縦断面図である。
【図１６】図１５の要部拡大図である。
【図１７】図１３及び図１４に示した擁壁ブロックを用いて構築された擁壁構造物の第２の構造例を示す縦断面図である。
【図１８】図１３に示した植生孔の形状変形例を示す要部縦断面図である。
【符号の説明】
【０１０９】
１…擁壁ブロック、１ｃ…植生孔、１ｄ…筒状体、２…擁壁ブロック、２ｃ…取付孔、２ｄ，２ｄ’，２ｄ”…筒状体、２ｄ２…植生孔、３…擁壁ブロック、３ｃ…植生孔、３ｃ１…テーパー面、１８…育成土、１９…孔付きシート、ＰＹ２，ＰＹ３…植生ユニット、ＰＹ２ａ，ＰＹ３ａ…筒状体、ＰＹ２ｂ，ＰＹ３ｂ…育成土、ＰＹ２ｃ，ＰＹ３ｃ…閉塞シート、ＰＹ２ｄ，ＰＹ３ｄ…孔付きシート、ＰＹ２ｄ１，ＰＹ３ｄ１…茎葉挿通孔、ＰＹ２ｅ…苗木。
【図１】
2005320737.tif 000003
【図２】
2005320737.tif 000004
【図３】
2005320737.tif 000005
【図４】
2005320737.tif 000006
【図５】
2005320737.tif 000007
【図６】
2005320737.tif 000008
【図７】
2005320737.tif 000009
【図８】
2005320737.tif 000010
【図９】
2005320737.tif 000011
【図１０】
2005320737.tif 000012
【図１１】
2005320737.tif 000013
【図１２】
2005320737.tif 000014
【図１３】
2005320737.tif 000015
【図１４】
2005320737.tif 000016
【図１５】
2005320737.tif 000017
【図１６】
2005320737.tif 000018
【図１７】
2005320737.tif 000019
【図１８】
2005320737.tif 000020